(57)【要約】【課題】両面原稿読み取り時と片面画像読み取り時とで最適な原稿走査速度にて画像読み取りを行うことができるようにする。【解決手段】両面原稿読み取り時にはＣＩＳ（コンタクトイメージセンサ）を用いた等倍光学系のプロセススピードでＣＩＳ及びＣＣＤセンサでの両面画像の同時読み取りを行い、片面原稿読み取り時にはＣＣＤセンサを用いた縮小光学系のプロセススピードでＣＣＤセンサでの画像読み取りを行う。また、ＣＣＤセンサへの入射光量を両面画像原稿の読み取り時と片面画像原稿の読み取り時とで切り換える。その際、ＣＣＤの感光画素の蓄積時間、画素読み出し速度、及びアナログ信号処理部内の増幅回路のゲインを両面画像原稿の読み取り時と片面画像原稿の読み取り時とで切り換えるようにし、更に、原稿照明手段の照度を切り換える。【選択図】　　　　図１
2004040312.tif 000002
【特許請求の範囲】
【請求項１】
原稿台上に静止して配置された原稿を副走査方向に移動しながらあるいは原稿を移動させながら静止して該原稿上の画像を読み取る第１の画像読み取り手段と、原稿を移動させながら静止して該原稿上の画像を読み取る第２の画像読み取り手段とを有し、両面画像原稿の読み取り時には前記第２の画像読み取り手段の走査速度で前記第１及び第２の画像読み取り手段を駆動して読み取り、片面画像原稿の読み取り時には前記第１の画像読み取り手段を駆動して読み取るとともに、前記第１の画像読み取り手段への入射光量を両面画像原稿の読み取り時と片面画像原稿の読み取り時とで切り換えることを特徴とする画像読み取り装置。
【請求項２】
前記第１の画像読み取り手段単独での画像走査速度Ｖ１（ｍｍ／ｓｅｃ）と、前記第２の画像読み取り手段単独での画像走査速度Ｖ２（ｍｍ／ｓｅｃ）とは、Ｖ１＞Ｖ２なる関係を有することを特徴とする請求項１記載の画像読み取り装置。
【請求項３】
前記第１の画像読み取り手段への入射光量を両面画像原稿の読み取り時と片面画像原稿の読み取り時とで切り換えるために、前記第１の画像読み取り手段の感光画素の蓄積時間、画素読み出し速度、及びアナログ信号処理部内の増幅回路のゲインを両面画像原稿の読み取り時と片面画像原稿の読み取り時とで切り換えることを特徴とする請求項１または２記載の画像読み取り装置。
【請求項４】
前記第１の画像読み取り手段への入射光量を両面画像原稿の読み取り時と片面画像原稿の読み取り時とで切り換えるために、前記第１の画像読み取り手段の原稿照明手段の照度、感光画素の蓄積時間、画素読み出し速度、及びアナログ信号処理部内の増幅回路のゲインを両面画像原稿の読み取り時と片面画像原稿の読み取り時とで切り換えることを特徴とする請求項１または２記載の画像読み取り装置。
【請求項５】
前記第１の画像読み取り手段の原稿照明手段の片面画像原稿の読み取り時における照度Ｉ１（ｌｘ）と、両面画像原稿の読み取り時における照度Ｉ２（ｌｘ）とは、Ｉ１＞Ｉ２なる関係を有することを特徴とする請求項４記載の画像読み取り装置。
【請求項６】
前記第１の画像読み取り手段は、ＣＣＤセンサを用いた縮小光学系の画像読み取り手段であり、前記第２の画像読み取り手段は、ＣＩＳ（コンタクトイメージセンサ）を用いた等倍光学系の画像読み取り手段であることを特徴とする請求項１ないし５何れか記載の画像読み取り装置。
【請求項７】
前記第１の画像読み取り手段と前記第２の画像読み取り手段は、共にＣＩＳ（コンタクトイメージセンサ）を用いた等倍光学系の画像読み取り手段であることを特徴とする請求項１ないし５何れか記載の画像読み取り装置。
【請求項８】
原稿台上に静止して配置された原稿を副走査方向に移動しながらあるいは原稿を移動させながら静止して該原稿上の画像を読み取る第１の画像読み取り手段と、原稿を移動させながら静止して該原稿上の画像を読み取る第２の画像読み取り手段とを有した画像読み取り装置の制御方法であって、両面画像原稿の読み取り時には前記第２の画像読み取り手段の走査速度で前記第１及び第２の画像読み取り手段を駆動して読み取り、片面画像原稿の読み取り時には前記第１の画像読み取り手段を駆動して読み取るとともに、前記第１の画像読み取り手段への入射光量を両面画像原稿の読み取り時と片面画像原稿の読み取り時とで切り換えるようにしたことを特徴とする画像読み取り装置の制御方法。
【請求項９】
前記第１の画像読み取り手段単独での画像走査速度Ｖ１（ｍｍ／ｓｅｃ）と、前記第２の画像読み取り手段単独での画像走査速度Ｖ２（ｍｍ／ｓｅｃ）とは、Ｖ１＞Ｖ２なる関係を有していることを特徴とする請求項５記載の画像読み取り装置の制御方法。
【請求項１０】
前記第１の画像読み取り手段への入射光量を両面画像原稿の読み取り時と片面画像原稿の読み取り時とで切り換えるために、前記第１の画像読み取り手段の感光画素の蓄積時間、画素読み出し速度、及びアナログ信号処理部内の増幅回路のゲインを両面画像原稿の読み取り時と片面画像原稿の読み取り時とで切り換えるようにしたことを特徴とする請求項８または９記載の画像読み取り装置の制御方法。
【請求項１１】
前記第１の画像読み取り手段への入射光量を両面画像原稿の読み取り時と片面画像原稿の読み取り時とで切り換えるために、前記第１の画像読み取り手段の原稿照明手段の照度、感光画素の蓄積時間、画素読み出し速度、及びアナログ信号処理部内の増幅回路のゲインを両面画像原稿の読み取り時と片面画像原稿の読み取り時とで切り換えるようにしたことを特徴とする請求項８または９記載の画像読み取り装置の制御方法。
【請求項１２】
前記第１の画像読み取り手段の原稿照明手段の片面画像原稿の読み取り時における照度Ｉ１（ｌｘ）と、両面画像原稿の読み取り時における照度Ｉ２（ｌｘ）とは、Ｉ１＞Ｉ２なる関係を有していることを特徴とする請求項１１記載の画像読み取り装置の制御方法。
【請求項１３】
前記第１の画像読み取り手段は、ＣＣＤセンサを用いた縮小光学系の画像読み取り手段であり、前記第２の画像読み取り手段は、ＣＩＳ（コンタクトイメージセンサ）を用いた等倍光学系の画像読み取り手段であることを特徴とする請求項８ないし１２何れか記載の画像読み取り装置の制御方法。
【請求項１４】
前記第１の画像読み取り手段と前記第２の画像読み取り手段は、共にＣＩＳ（コンタクトイメージセンサ）を用いた等倍光学系の画像読み取り手段であることを特徴とする請求項８ないし１２何れか記載の画像読み取り装置の制御方法。
【請求項１５】
請求項１ないし７何れか記載の画像読み取り装置を備えたことを特徴とする画像形成装置。
【発明の詳細な説明】
【０００１】
【発明の属する技術分野】
本発明は、例えばスキャナー、複写機、ＦＡＸ（ファクシミリ）等の画像形成装置に適用される画像読み取り装置、特に二つの読み取り手段を用いて原稿の両面画像の同時読み取りを行う画像読み取り装置及びその制御方法並びに画像形成装置に関するものである。
【０００２】
【従来の技術】
従来、複写機等の画像形成装置の画像読み取り部（リーダ部）においては、原稿台ガラスの下側で原稿を照明する光源、該光源の光を原稿に集光する反射傘、及びミラーの三つが収容されたキャリッジと、上記ミラーにて反射された光を所定方向に反射させる２枚のミラーを収容したキャリッジと、上記２枚のミラーで反射された原稿からの反射光もしくは投影光を集光させるレンズと、該レンズにより集光された原稿からの反射光もしくは投影光を受光するＣＣＤセンサの４点からなる縮小光学系の画像読み取り装置、あるいはＬＥＤアレイ光源と、ロッドレンズアレイ及びＣＩＳ（コンタクトイメージセンサ）を用い、原稿に密着して画像を読み取る等倍光学系の画像読み取り装置のような単一の読み取りセンサを用いた画像読み取り装置が用いられている。
【０００３】
これらの画像読み取り装置において、原稿の両面の画像を読み取る場合には、ＤＦ（ドキュメントフィーダ）等の原稿反転手段を用いて、両面原稿の表面及び裏面を交互に読み取るようにしている。しかしながら近年では、図４に示すような両面同時読み取り機構を有する画像読み取り装置が提案されている。
【０００４】
図４はこのような画像読み取り装置の概略構成を示す断面図であり、ここでは原稿の両面の読み取り位置と搬送経路のレイアウトを主に示している。同図中、１０１はＣＣＤセンサ、１０２はＣＩＳ、１０３は基準白色板、１０４は白色シート、１０５は原稿トレイを示している。
【０００５】
この構成の画像読み取り装置は、原稿の表面（第１面）を読み取る第１の読み取りセンサ（ＣＣＤセンサ１０１）と、同原稿の裏面（第２面）を読み取る第２の読み取りセンサ（ＣＩＳ１０２）とを備え、原稿トレイ１０５上に置かれた原稿を排紙側に送る途中で上記第１及び第２の読み取りセンサによって該原稿の両面を１回の搬送で読み取る機構になっている。
【０００６】
【発明が解決しようとする課題】
しかしながら、一般的にＣＩＳを用いた等倍光学系の原稿走査速度はＣＣＤセンサを用いた縮小光学系の走査速度より遅いため、上記のような紙搬送で両面読みを行う機構においては、ＣＣＤセンサを用いた縮小光学系の走査速度を能力（実力）よりも低い走査速度であるＣＩＳを用いた等倍光学系の走査速度まで落とし、両者の走査速度を合わせて両面画像の同時読み取りを行わなければならない。
【０００７】
このため、ＣＣＤセンサ、ＣＩＳそれぞれの光学系の走査速度を同一に設定した場合、ＣＣＤセンサを用いた縮小光学系で片面画像原稿を読み取る場合においてもＣＣＤセンサを用いた縮小光学系の能力より遅い速度であるＣＩＳを用いた等倍光学系の走査速度で原稿を走査しなければならないという問題があった。
【０００８】
本発明は、このような問題点を解決するためになされたものであり、両面原稿読み取り時と片面画像読み取り時とで最適な原稿走査速度にて画像読み取りを行うことができ、生産性の高い画像読み取り装置及びその制御方法並びに画像形成装置を提供することを目的としている。
【０００９】
【課題を解決するための手段】
本発明の係る画像読み取り装置及びその制御方法並びに画像形成装置は、次のように構成したものである。
【００１０】
（１）原稿台上に静止して配置された原稿を副走査方向に移動しながらあるいは原稿を移動させながら静止して該原稿上の画像を読み取る第１の画像読み取り手段と、原稿を移動させながら静止して該原稿上の画像を読み取る第２の画像読み取り手段とを有し、両面画像原稿の読み取り時には前記第２の画像読み取り手段の走査速度で前記第１及び第２の画像読み取り手段を駆動して読み取り、片面画像原稿の読み取り時には前記第１の画像読み取り手段を駆動して読み取るとともに、前記第１の画像読み取り手段への入射光量を両面画像原稿の読み取り時と片面画像原稿の読み取り時とで切り換えるようにした。
【００１１】
（２）上記（１）において、前記第１の画像読み取り手段単独での画像走査速度Ｖ１（ｍｍ／ｓｅｃ）と、前記第２の画像読み取り手段単独での画像走査速度Ｖ２（ｍｍ／ｓｅｃ）とは、Ｖ１＞Ｖ２なる関係を有するようにした。
【００１２】
（３）上記（１）または（２）において、前記第１の画像読み取り手段への入射光量を両面画像原稿の読み取り時と片面画像原稿の読み取り時とで切り換えるために、前記第１の画像読み取り手段の感光画素の蓄積時間、画素読み出し速度、及びアナログ信号処理部内の増幅回路のゲインを両面画像原稿の読み取り時と片面画像原稿の読み取り時とで切り換えるようにした。
【００１３】
（４）上記（１）または（２）において、前記第１の画像読み取り手段への入射光量を両面画像原稿の読み取り時と片面画像原稿の読み取り時とで切り換えるために、前記第１の画像読み取り手段の原稿照明手段の照度、感光画素の蓄積時間、画素読み出し速度、及びアナログ信号処理部内の増幅回路のゲインを両面画像原稿の読み取り時と片面画像原稿の読み取り時とで切り換えるようにした。
【００１４】
（５）上記（４）において、前記第１の画像読み取り手段の原稿照明手段の片面画像原稿の読み取り時における照度Ｉ１（ｌｘ）と、両面画像原稿の読み取り時における照度Ｉ２（ｌｘ）とは、Ｉ１＞Ｉ２なる関係を有するようにした。
【００１５】
（６）上記（１）ないし（５）何れかにおいて、前記第１の画像読み取り手段は、ＣＣＤセンサを用いた縮小光学系の画像読み取り手段であり、前記第２の画像読み取り手段は、ＣＩＳ（コンタクトイメージセンサ）を用いた等倍光学系の画像読み取り手段であるようにした。
【００１６】
（７）上記（１）ないし（５）何れかにおいて、前記第１の画像読み取り手段と前記第２の画像読み取り手段は、共にＣＩＳ（コンタクトイメージセンサ）を用いた等倍光学系の画像読み取り手段であるようにした。
【００１７】
（８）原稿台上に静止して配置された原稿を副走査方向に移動しながらあるいは原稿を移動させながら静止して該原稿上の画像を読み取る第１の画像読み取り手段と、原稿を移動させながら静止して該原稿上の画像を読み取る第２の画像読み取り手段とを有した画像読み取り装置の制御方法であって、両面画像原稿の読み取り時には前記第２の画像読み取り手段の走査速度で前記第１及び第２の画像読み取り手段を駆動して読み取り、片面画像原稿の読み取り時には前記第１の画像読み取り手段を駆動して読み取るとともに、前記第１の画像読み取り手段への入射光量を両面画像原稿の読み取り時と片面画像原稿の読み取り時とで切り換えるようにした。
【００１８】
（９）上記（５）において、前記第１の画像読み取り手段単独での画像走査速度Ｖ１（ｍｍ／ｓｅｃ）と、前記第２の画像読み取り手段単独での画像走査速度Ｖ２（ｍｍ／ｓｅｃ）とは、Ｖ１＞Ｖ２なる関係を有しているようにした。
【００１９】
（１０）上記（８）または（９）において、前記第１の画像読み取り手段への入射光量を両面画像原稿の読み取り時と片面画像原稿の読み取り時とで切り換えるために、前記第１の画像読み取り手段の感光画素の蓄積時間、画素読み出し速度、及びアナログ信号処理部内の増幅回路のゲインを両面画像原稿の読み取り時と片面画像原稿の読み取り時とで切り換えるようにした。
【００２０】
（１１）上記（８）または（９）において、前記第１の画像読み取り手段への入射光量を両面画像原稿の読み取り時と片面画像原稿の読み取り時とで切り換えるために、前記第１の画像読み取り手段の原稿照明手段の照度、感光画素の蓄積時間、画素読み出し速度、及びアナログ信号処理部内の増幅回路のゲインを両面画像原稿の読み取り時と片面画像原稿の読み取り時とで切り換えるようにした。
【００２１】
（１２）上記（１１）において、前記第１の画像読み取り手段の原稿照明手段の片面画像原稿の読み取り時における照度Ｉ１（ｌｘ）と、両面画像原稿の読み取り時における照度Ｉ２（ｌｘ）とは、Ｉ１＞Ｉ２なる関係を有しているようにした。
【００２２】
（１３）上記（８）ないし（１２）何れかにおいて、前記第１の画像読み取り手段は、ＣＣＤセンサを用いた縮小光学系の画像読み取り手段であり、前記第２の画像読み取り手段は、ＣＩＳ（コンタクトイメージセンサ）を用いた等倍光学系の画像読み取り手段であるようにした。
【００２３】
（１４）上記（８）ないし（１２）何れかにおいて、前記第１の画像読み取り手段と前記第２の画像読み取り手段は、共にＣＩＳ（コンタクトイメージセンサ）を用いた等倍光学系の画像読み取り手段であるようにした。
【００２４】
（１５）画像形成装置において、上記（１）ないし（７）何れかの画像読み取り装置を備えた。
【００２５】
【発明の実施の形態】
以下、本発明の実施例を図面について説明する。
【００２６】
（第１の実施例）
図１は本発明の実施例による画像読み取り装置の構成を示す断面図であり、複写機、ＦＡＸ等の画像形成装置に組み込まれる画像読み取り装置の概略構成を示している。
【００２７】
本実施例の画像読み取り装置は、原稿台ガラス上に静止して配置された原稿を副走査方向に移動しながらあるいは原稿を移動させながら静止して該原稿上の画像を読み取る第１の画像読み取り手段と、原稿を移動させながら静止して該原稿上の画像を読み取る第２の画像読み取り手段と、原稿を移動させる原稿搬送手段とを有しており、両面画像原稿の読み取り時には上記第２の画像読み取り手段の走査速度で上記第１及び第２の画像読み取り手段を駆動して読み取り、片面画像原稿の読み取り時には上記第１の画像読み取り手段を駆動して読み取るようにしている。
【００２８】
また、上記第１の画像読み取り手段への入射光量を両面画像原稿の読み取り時と片面画像原稿の読み取り時とで切り換えるようにしている。その際、上記第１の画像読み取り手段の感光画素の蓄積時間、画素読み出し速度、及びアナログ信号処理部内の増幅回路のゲインを両面画像原稿の読み取り時と片面画像原稿の読み取り時とで切り換えるようにし、更に、上記第１の画像読み取り手段の原稿照明手段の照度を切り換えるようにしている。
【００２９】
図１の装置は、原稿給送装置１と原稿読み取り装置１９によって構成されており、第１の読み取り手段は、原稿読み取り装置内１９の露光部１３と原稿３とを相対的に移動させながら読み取り、第２の読み取り手段は、密着型イメージセンサ部２０と原稿３とを相対的に移動させながら原稿上の情報を読み取る。密着型イメージセンサ部２０は、図示していないが光源のＬＥＤアレイ、ロッドレンズアレイ及びＣＩＳから構成されている。
【００３０】
原稿トレイ２にセットされた原稿３は、分離パッド５と対になっている原稿給紙ローラ４により１枚ずつ給送される。この給送された原稿３は、中間ローラ対６により装置内部に送られ、大ローラ８と第１従動ローラ９により更に内部の搬送路に渡され、大ローラ８を回る形で第２従動ローラ１０による搬送が行われる。
【００３１】
上記大ローラ８と第２従動ローラ１０により搬送された原稿は、流し読み原稿台ガラス１２と原稿ガイド板１７の間を通り、ジャンプ台１８を経て再び大ローラ８と第３従動ローラ１１により搬送される。このとき、流し読み原稿台ガラス１２と原稿ガイド板１７の間では、原稿ガイド板１７の部材により原稿３は流し読み原稿台ガラス１２に接触する形で搬送される。
【００３２】
また、原稿３が更に内部に搬送される前に、第１、第２の読み取り手段の読み取り部でシェーディングが行われる。このとき、第１の読み取り部では基準白色板２２を読み取り、第２の読み取り部では基準白色部材の更新部２１における白色シート２３を読み取ることによって、それぞれ適正な白レベルを得る。
【００３３】
そして、原稿３は流し読み原稿台ガラス１２上を通過する際に、露光部１３により流し読み原稿台ガラス１２に接している面を露光される。露光部１３は、原稿３を露光することにより該原稿３から反射してくる原稿画像情報をミラーユニット１４に伝達する。この伝達された原稿画像情報は、レンズ１５を通過し集光されて画像読み取りセンサ部１６にて電気信号に変換される。その後、原稿３は排紙ローラ対７により原稿給紙装置１の外部に排紙される。
【００３４】
以上の過程で、原稿３の第１面（表面）の画像が読み取られる。次に、大ローラ８と第３従動ローラ１１により搬送された原稿３は、原稿排紙ローラ対７の方向へ搬送される過程で、密着型イメージセンサ部２０によって第２面（裏面）の画像が読み取られ、その後装置外に排出される。
【００３５】
図２は本実施例の画像制御系の主な機能構成を示すブロック図である。
【００３６】
画像読み取りセンサ部（ＣＣＤセンサ部あるいはＣＩＳ部）１６は、画像処理部３２に内蔵されているタイミング生成回路によって生成されたタイミング信号３５に従って、光情報を順次アナログ画像信号３７に変換して出力する。アナログ信号処理部３１は、同じく画像処理部３２からのタイミング信号３６に従って、画像読み取りセンサ部１６から出力されたアナログ画像信号３７をディジタル画像信号３８に変換する。このディジタル画像信号３８は画像処理部３２に入力され、シェーディング補正等の処理が行われる。画像処理部３２は、メモリＩ／Ｆ（インターフェイス）４０を介して画像メモリ部３３に対して画像情報の書き込み・読み出しを行う。
【００３７】
ＣＰＵ３４は、画像処理部３２、センサ入力部４２、モータドライバ部４３、原稿照明手段４５の制御といった原稿読み取り装置１９全体の制御を司る。またＣＰＵ３４は、ＣＰＵバス３９を介して画像処理部３２の設定や制御及び画像情報の読み書きを行うとともに、操作部４４の操作により読み取りモード設定及び読み取り動作開始指示を行う。この操作部４４には表示部４１が設けられている。
【００３８】
なお、図２においては、画像読み取りセンサ部１６、アナログ信号処理部３１、及び原稿照明手段４５の各機能ブロックはそれぞれ一つずつしか図示していないが、本実施例のように複数の原稿読み取り手段を持つ場合は、各読み取り手段ごとに上記の各機能ブロックを持つことは言うまでもない。
【００３９】
次に、実際の動作の流れを図３に示す。図３は実施例の制御動作を示すフローチャートであり、図２のＣＰＵ１０４により予め記憶されたプログラムに従って実行されるものである。なお、ＣＩＳは密着型イメージセンサ（Ｃｏｎｔａｃｔ
Ｉｍａｇｅ　Ｓｅｎｓｏｒ）を示している。
【００４０】
まず、原稿３の読み取り動作開始前に片面あるいは両面読み取りのモードを設定する（Ｓ１０１）。読み取りモードが片面であった場合は（Ｓ１０２）、片面読み取り時の設定を行う（Ｓ１０３）。具体的には、第１の読み取り手段であるＣＣＤセンサの走査速度をＶＣＣＤ（ｍｍ／ｓｅｃ）に設定し、ＣＣＤの感光画素の蓄積時間、画素読み出し速度、及びアナログ信号処理部３７内の増幅回路のゲインをそれぞれ所定値に設定する。
【００４１】
次に、原稿がセットされて（Ｓ１０４）、読み取り開始指示が与えられると（Ｓ１０５）、ＣＣＤセンサのシェーディング動作を行う（Ｓ１０６）。続いて原稿読み取り装置１９は原稿給送装置１により原稿３を１枚ずつ搬送し、ＣＣＤセンサにて原稿３の表面（おもて面）の画像情報の読み取りを行う（Ｓ１０７）。そして、１枚の原稿を読み込み、原稿トレイ２上の原稿３の搬送が終了していなければ、次の原稿３の搬送及び読み取りを行う（Ｓ１０７）。原稿トレイ２上の原稿３をすべて読み終われば片面読み取りモードを終了し（Ｓ１０８）、通常のスタンバイ状態に移行する。
【００４２】
このとき、ＣＣＤセンサの読み取りの走査速度は、ＣＩＳよりも速いＣＣＤセンサ単独の走査速度ＶＣＣＤ（ｍｍ／ｓｅｃ）をとることで、両面原稿の読み取り時よりも速い搬送と読み込みを行う。
【００４３】
両面読み取りモードであった場合は（Ｓ１０９）、両面読み取り時の設定を行う（Ｓ１１０）。具体的には、第１の読み取り手段であるＣＣＤセンサの走査速度をＶＣＩＳ（ｍｍ／ｓｅｃ）に設定し、ＣＣＤの感光画素の蓄積時間、画素読み出し速度、及びアナログ信号処理部３１内の増幅回路のゲインをそれぞれ設定する。
【００４４】
次に、原稿がセットされて（Ｓ１１１）、読み取り開始指示が与えられると（Ｓ１１２）、ＣＣＤセンサ及びＣＩＳのシェーディング動作を行う（Ｓ１１３）。続いて原稿読み取り装置１９は原稿給送装置１により原稿３を１枚ずつ搬送し、ＣＣＤセンサにて原稿３の表面（おもて面）の読み取りを行う（Ｓ１１４）。更に原稿３が搬送されてＣＩＳ位置まで到達したときに、原稿３の裏面（うら面）の読み取りをＣＩＳにて行う（Ｓ１１５）。そして、１枚の原稿３の表面及び裏面を読み込み、原稿トレイ２上の原稿３の搬送がすべて終了していなければ、次の原稿３の搬送及び読み取りを行う（Ｓ１１４、Ｓ１１５）。原稿トレイ２上の原稿３をすべて読み終われば両面読み取りモードを終了し（Ｓ１１６）、通常のスタンバイ状態に移行する。
【００４５】
このとき、原稿３の搬送速度は一定であるので、ＣＣＤセンサの読み取りの走査速度をＣＩＳ読み取りの走査速度ＶＣＩＳ（ｍｍ／ｓｅｃ）に合わせて両面原稿を読み取ることとなる。但し、ＣＣＤセンサの走査速度をＣＣＤセンサ単独での走査速度ＶＣＣＤ（ｍｍ／ｓｅｃ）から落とす場合、ＣＣＤセンサで読み取る原稿３の表面画像の副走査方向の画素数を走査速度の減少に見合った分だけ増やす必要がある。このため、画像処理部３２は、画像読み取りセンサ部１６のＣＣＤドライバに走査速度の減少分だけＣＣＤの感光画素の蓄積時間を長く、画素の読み出し速度を走査速度の減少に対応するだけ小さく、アナログ信号処理部３１内の増幅回路のゲインを小さくするように、Ｓ１１０のモード設定にて設定・制御する。
【００４６】
なお、本実施例ではＣＣＤセンサとＣＩＳを用いているが、双方ともＣＩＳを用いた構成としても良い。また本実施例では、第１の画像読み取り手段の原稿照明手段４５の片面画像原稿の読み取り時における照度Ｉ１（ｌｘ）と、両面画像原稿の読み取り時における照度Ｉ２（ｌｘ）とは、Ｉ１＞Ｉ２なる関係を有するようにしている。
【００４７】
（第２の実施例）
本実施例では、図３の各モード設定（Ｓ１０３、Ｓ１１０）にて、第１の画像読み取り手段であるＣＣＤセンサの原稿照明手段４５の照度、ＣＣＤの感光画素の蓄積時間、画素読み出し速度、及びアナログ信号処理部３１内の増幅回路のゲインを各読み取りモードごとに設定する。
【００４８】
そして、両面読み取りモード時には、ＣＣＤセンサ単独で画像読み取りを行う場合（片面読み取りモード）とＣＣＤの感光画素への入力光量が同等になるように、ＣＰＵ３４はＣＣＤセンサの原稿照明手段４５に対し照度を落とすように指令を出し、上述の第１の実施例と同様に画像処理部３２は、画像読み取りセンサ部１６のＣＣＤドライバに走査速度の減少分だけＣＣＤの感光画素の蓄積時間を長く、画素の読み出し速度を走査速度の減少に対応するだけ小さく、アナログ信号処理部３１内の増幅回路のゲインを図３のモード設定（Ｓ１１０）にて設定・制御する。
【００４９】
本実施例によれば、両面原稿読み取り時には、ＣＩＳを用いた等倍光学系の原稿走査速度によりＣＩＳ及びＣＣＤセンサでの両面画像の同時読み取りを行い、片面原稿読み取り時には、ＣＣＤセンサを用いた縮小光学系の原稿走査速度、つまり両面読み取り時よりも速い走査速度で片面画像を読み取ることで、片面原稿の読み取り速度を両面原稿の同時読み取り時よりも速くすることが可能となり、生産性の高い画像読み取り装置及びその制御方法並びに画像形成装置を提供することができる。
【００５０】
【発明の効果】
以上説明したように、本発明によれば、両面原稿読み取り時と片面画像読み取り時とで最適な原稿走査速度にて画像読み取りを行うことができる、生産性が高く、効率の良い画像読み取りを行うことが可能となる。
【図面の簡単な説明】
【図１】本発明の実施例による画像読み取り装置の構成を示す断面図
【図２】実施例の画像制御系の主な機能構成を示すブロック図
【図３】実施例の制御動作を示すフローチャート
【図４】従来例の構成を示す斜視図
【符号の説明】
１　原稿給送装置
２　原稿トレイ
３　原稿
４　原稿給紙ローラ
５　分離パッド
６　中間ローラ対
７　排紙ローラ対
８　大ローラ
９　第１従動ローラ
１０　第２従動ローラ
１１　第３従動ローラ
１２　流し読み原稿台ガラス
１３　露光部
１４　ミラーユニット
１５　レンズ
１６　画像読み取りセンサ部
１７　原稿ガイド板
１８　ジャンプ台
１９　原稿読み取り装置
２０　密着型イメージセンサ部
２１　基準白色部材の更新部
３１　Ａ／Ｄ変換部
３２　画像処理部
３３　画像メモリ部
３４　ＣＰＵ
３５　タイミング信号
３６　タイミング信号
３７　アナログ画像信号
３８　ディジタル画像信号
３９　ＣＰＵバス
４０　メモリＩ／Ｆ
４１　表示部
４２　センサ入力部
４３　モータドライバ部
４４　操作部
４５　原稿照明手段
【図１】
2004040312.tif 000003
【図２】
2004040312.tif 000004
【図３】
2004040312.tif 000005
【図４】
2004040312.tif 000006